(57)【要約】      （修正有）【課題】リブを具えた凹溝によりレーザー光を発生するレーザーモジュールを収容し、発生するレーザー光の傾斜度の調整により生産調整及び修理が行える切削線指示器の提供。【解決手段】切削線指示器を構成するケース部品が、トルクを受ける部分とトルクを受けない部分の二つの部分に区分され、並びにトルクを受けるケース部品が、金属板材を加圧成形してなる底カバーと軸に設計され、大量生産でき並びに製造コストを下げられるものとされる。【選択図】図２
0003113644.tif 000002
【実用新案登録請求の範囲】
【請求項１】
旋盤の回転鋸に取り付けられて回転鋸の切削線を指示する線形光を発生する切削線指示器であって、
該線形光を形成するビームを発生する光源と、
第１厚さを具えた第１金属板材で形成された底カバーと、
該底カバー上に設置され、第２厚さを具えた第２金属板材で形成された軸と、
該底カバーに閉じ合わされる上カバーと、
を包含したことを特徴とする、切削線指示器。
【請求項２】
請求項１記載の切削線指示器において、第１金属板材と第２金属板材が亜鉛めっき鉄板とされたことを特徴とする、切削線指示器。
【請求項３】
請求項１記載の切削線指示器において、指示器ブシュと上カバーがプラスチックで形成されたことを特徴とする、切削線指示器。
【請求項４】
請求項１記載の切削線指示器において、第２厚さが第１厚さより大きいことを特徴とする、切削線指示器。
【請求項５】
請求項１記載の切削線指示器において、光源がレーザーモジュールとされてレーザービームを発生し、指示器ブシュが該レーザーモジュールを収容する凹溝を具えたことを特徴とする、切削線指示器。
【請求項６】
請求項５記載の切削線指示器において、凹溝に少なくとも一つのリブが設けられ、該リブがレーザーモジュールと底カバー間の傾斜角度調整に用いられることを特徴とする、切削線指示器。
【請求項７】
請求項５記載の切削線指示器において、斜方形鏡を具え、該斜方形鏡がレーザーモジュールの前方に設置されてレーザービームの進行方向を改変するのに用いられることを特徴とする、切削線指示器。
【請求項８】
請求項７記載の切削線指示器において、斜方形鏡が固定片で底カバーに固定されたことを特徴とする、切削線指示器。
【請求項９】
請求項１記載の切削線指示器において、光源が必要とする電力を提供する少なくとも一つの電池を具えたことを特徴とする、切削線指示器。
【請求項１０】
請求項１記載の切削線指示器において、指示器ブシュに設置された遠心スイッチを具え、該遠心スイッチが回転鋸が回転時に電池の電力を光源に導通させることを特徴とする、切削線指示器。
【考案の詳細な説明】
【技術分野】
【０００１】
本考案は切削線指示器に係り、特に、金属板材を使用して成形される切削線指示器に関する。
【背景技術】
【０００２】
周知の旋盤は木材等の工作物を切削加工する時、旋盤の鋸の真の切削位置を確認できず、このため操作者は往々にして切削操作前に、旋盤の操作アームを引き下ろして切削線にアラインさせ、切削誤差が過大となることによる材料の損失或いは製品品質の低下を防止している。
【０００３】
このような操作方式は十分に不便であり、その製品品質は現代化テクノロジーの要求に符合しない。明らかに、レーザー或いはその他の光源の切削線指示器により、回転鋸の切削線を指示すると、操作時間を節約でき作業品質を向上でき、このような切削線指示器は良好な補助装置となる。例えば特許文献１〜３には回転鋸の軸心に取り付けられる切削線指示器が記載され、鋸が回転する時、切削線を指示する線形レーザー光を発生する。
【０００４】
しかし、これらの特許中に提示される切削線指示器は、構造が複雑で、機能が不完全であるほか、それを回転鋸の軸心に固定する必要があり、トルクに耐える必要がありロストワックスモールディングが採用され、生産コストが高過ぎ、大量生産には不利である。このほか、ロストワックスモールディングによる半製品の孔は大きく、電気めっき加工時の製品不良率が高くなる。
【０００５】
【特許文献１】米国特許第５，８６２，７２７号明細書
【特許文献２】米国特許第６，０３５，７５７号明細書
【特許文献３】米国特許第６，７５５，１０７号明細書
【考案の開示】
【考案が解決しようとする課題】
【０００６】
本考案の目的は、一種の切削線指示器を提供することにあり、それは、トルクを受けるケース部品が、金属板材を使用して製作され、ロストワックスモールディングの欠点が改善されたものとする。
【０００７】
本考案の別の目的は、一種の切削線指示器を提供することにあり、それは、リブを具えた凹溝によりレーザー光を発生するレーザーモジュールを収容し、発生するレーザー光の傾斜度の調整により生産調整及び修理が行えるものとする。
【０００８】
上述の目的を達成するため、本考案は一種の切削線指示器を提供し、それは、旋盤の回転鋸に取り付けられて、回転鋸の切削線を指示する線形光を発生する。この切削線指示器は、光源、底カバー、軸、指示器ブシュ及び上カバーを包含する。そのうち、光源は上述の線形光を形成するビームを発生し、底カバーは第１厚さを有する第１金属板材で形成され、軸は底カバー上に設置されて、第２厚さを具えた第２金属板材で形成され、指示器ブシュも底カバー上に設置され、並びに前述の光源を収容する構造を具えて光源を収容し、上カバーは前述の底カバーに閉じ合わされる。
【課題を解決するための手段】
【０００９】
請求項１の考案は、旋盤の回転鋸に取り付けられて回転鋸の切削線を指示する線形光を発生する切削線指示器であって、
該線形光を形成するビームを発生する光源と、
第１厚さを具えた第１金属板材で形成された底カバーと、
該底カバー上に設置され、第２厚さを具えた第２金属板材で形成された軸と、
該底カバーに閉じ合わされる上カバーと、
を包含したことを特徴とする、切削線指示器としている。
請求項２の考案は、請求項１記載の切削線指示器において、第１金属板材と第２金属板材が亜鉛めっき鉄板とされたことを特徴とする、切削線指示器としている。
請求項３の考案は、請求項１記載の切削線指示器において、指示器ブシュと上カバーがプラスチックで形成されたことを特徴とする、切削線指示器としている。
請求項４の考案は、請求項１記載の切削線指示器において、第２厚さが第１厚さより大きいことを特徴とする、切削線指示器としている。
請求項５の考案は、請求項１記載の切削線指示器において、光源がレーザーモジュールとされてレーザービームを発生し、指示器ブシュが該レーザーモジュールを収容する凹溝を具えたことを特徴とする、切削線指示器としている。
請求項６の考案は、請求項５記載の切削線指示器において、凹溝に少なくとも一つのリブが設けられ、該リブがレーザーモジュールと底カバー間の傾斜角度調整に用いられることを特徴とする、切削線指示器としている。
請求項７の考案は、請求項５記載の切削線指示器において、斜方形鏡を具え、該斜方形鏡がレーザーモジュールの前方に設置されてレーザービームの進行方向を改変するのに用いられることを特徴とする、切削線指示器としている。
請求項８の考案は、請求項７記載の切削線指示器において、斜方形鏡が固定片で底カバーに固定されたことを特徴とする、切削線指示器としている。
請求項９の考案は、請求項１記載の切削線指示器において、光源が必要とする電力を提供する少なくとも一つの電池を具えたことを特徴とする、切削線指示器としている。
請求項１０の考案は、請求項１記載の切削線指示器において、指示器ブシュに設置された遠心スイッチを具え、該遠心スイッチが回転鋸が回転時に電池の電力を光源に導通させることを特徴とする、切削線指示器としている。
【考案の効果】
【００１０】
本考案によると、切削線指示器を構成するケース部品が、トルクを受ける部分とトルクを受けない部分の二つの部分に区分され、並びにトルクを受けるケース部品が、金属板材を加圧成形してなる底カバーと軸に設計され、大量生産でき並びに製造コストを下げられる。
【考案を実施するための最良の形態】
【００１１】
図１から図４を参照されたい。図１は本考案の好ましい実施例の切削線指示器の立体図、図２、３、４は図１の切削線指示器の分解立体図と部分分解立体図である。この切削線指示器１００を使用する時は、ネジ（図示せず）を中心孔１９０に通して切削線指示器１００を旋盤の回転鋸の軸に固定し、出光口１１７より回転鋸の切削線を指示する線形光を発生する。切削線指示器１００の構造は図２から図４を参照して以下に説明する。
【００１２】
図２に示されるように、この切削線指示器１００のケース部品は、底カバー１１０、軸１２０、指示器ブシュ１３０及び上カバー１４０を包含する。軸１２０は穿孔１１１、１１２に通されたネジ１２１、１２２により底カバー１１０に固定される。指示器ブシュ１３０は穿孔１３３、１３４に通されて更にネジ孔１１３、１１４にねじ込まれるネジ１３１、１３２により、底カバー１１０に固定される。上カバー１４０は穿孔１１５、１３５と１１６、１３６に通されたネジ１４１、１４２により底カバー１１０に固定されて底カバー１１０を閉じる。
【００１３】
そのうち、底カバー１１０と軸１２０は切削線指示器１００が回転鋸に固定される時、ネジのトルクを受ける部品とされ、これにより、固定時のトルクに耐え、製造コストを節約し、また量産が容易であるように、底カバー１１０は第１厚さの第１金属板材を加圧加工して形成され、軸は第２厚さの第２金属板材を加圧加工して形成される。第１金属板材と第２金属板材は例えば亜鉛めっき鉄板とされ、且つ第２金属板材の厚さは第１金属板材の厚さより大きいものとされる。
【００１４】
このほか、指示器ブシュ１３０と上カバー１４０は並びにトルクに耐える必要がないため、プラスチック材質が採用されて射出成形方式で形成される。指示器ブシュ１３０は並びに図中の光源とされるレーザーモジュール１５０、電池１６０、遠心スイッチ１７０及び斜方形鏡１８０等の構造を収容し、線形光を形成できるビームを発生できる。
【００１５】
そのうち、電池１６０はレーザーモジュール１５０がレーザー光を発生するのに必要な電力を提供し、遠心スイッチ１７０は電気的に電池１６０とレーザーモジュール１５０に接続されて、回転鋸が回転して切削線指示器１００が駆動され回転する時、電池１６０の電力をレーザーモジュール１５０に導通させ、回転鋸が回転停止する時、電池１６０のレーザーモジュール１５０への電力供給を切断する。斜方形鏡１８０はネジ１８１及び固定片１８２によりレーザーモジュール１５０の前方凹溝１８３に固定され（図３参照）、レーザーモジュール１５０が発生するレーザービームの進行方向を改変し、レーザーモジュール１５０の発生するレーザービームを旋盤の回転鋸に更に接近させる。
【００１６】
図４に示されるように、指示器ブシュ１３０はレーザーモジュール１５０を収容可能な凹溝１５１を具え、並びに凹溝１５１中に少なくとも一つのリブ１５２が設置され、レーザーモジュール１５０の傾斜度調整の支点とされ、これにより更にレーザーモジュール１５０が発射するレーザービームを調整してそれに正確に回転鋸の切削線、即ち回転鋸と工作物の接触する辺縁を指向させることができる。図示されるように、レーザーモジュール１５０は先ずネジ１５３、１５４及び固定片１５５で凹溝１５１内に設置され、その後、更にネジ１５６と１５７が調整されて、レーザーモジュール１５０がリブ１５２を支点とし両側に向けて傾斜させられ、これによりレーザーモジュール１５０の発生するレーザービームが、回転鋸の切削線に指向させられ、生産調整及び修理に便利とする目的が達成される。
【００１７】
以上の説明は、本考案の実施範囲を限定するものではなく、本考案に基づきなしるうる細部の修飾或いは改変は、いずれも本考案の請求範囲に属するものとする。
【図面の簡単な説明】
【００１８】
【図１】本考案の好ましい実施例の切削線指示器の立体図である。
【図２】図１の切削線指示器の分解立体図である。
【図３】図１の切削線指示器の斜方形鏡の立体分解図である。
【図４】図１の切削線指示器のレーザーモジュールの立体分解図である。
【符号の説明】
【００１９】
１００  切削線指示器
１１０  底カバー
１１１、１１２、１１５、１１６、１３３、１３４、１３５、１３６  穿孔
１１３、１１４  ネジ孔
１１７  出光口
１２０  軸
１２１、１２２、１３１、１３２、１４１、１４２  ネジ
１３０  指示器ブシュ
１４０  上カバー
１５０  レーザーモジュール
１５１、１８３  凹溝
１５２  リブ
１５３、１５４、１５６、１５７、１８１  ネジ
１５５、１８２  固定片
１６０  電池
１７０  遠心スイッチ
１８０  斜方形鏡
【図１】
0003113644.tif 000003
【図２】
0003113644.tif 000004
【図３】
0003113644.tif 000005
【図４】
0003113644.tif 000006